Podtech/llm-jp-corpus-v4-ja_patent huggingface dataset:
【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  シートを処理する機械へシートを案内するためのガイド装置（１）であって、供給テーブル（３）の上方に配置された少なくとも１つのガイドエレメント（１９）が設けられており、該ガイドエレメント（１９）の、供給テーブルに対する間隔が、高さ調節装置（６１）によって調節可能である形式のものにおいて、高さ調節装置（６１）が、互いに独立して別個に操作可能である第１の駆動装置（６３）と第２の駆動装置（７５）とを有していることを特徴とする、シートを案内するためのガイド装置。
【請求項２】  第１の駆動装置（６３）と第２の駆動装置（７５）とが、互いに連結可能である、請求項１記載のガイド装置。
【請求項３】  第１の駆動装置（６３）が、有利にはニューマチック式のピストンシリンダユニット（６５）により形成されている、請求項１または２記載のガイド装置。
【請求項４】  前記ピストンシリンダユニット（６５）が、位置固定的に配置されたシリンダ（６９）と、一貫して延びるピストンロッド（７１）とを有しており、該ピストンロッド（７１）の第１の端範囲が、案内機構（３３）と協働するようになっており、該案内機構（３３）にガイドエレメント（１９）が配置されている、請求項１から３までのいずれか１項記載のガイド装置。
【請求項５】  第２の駆動装置（７５）が、サーボモータ（７７）を有しており、該サーボモータ（７７）によって、前記ピストンロッド（７１）の第２の端部と協働する作動エレメント（８１）が、前記ピストンロッド（７１）の長手方向中心軸線の方向に移動可能である、請求項１から４までのいずれか１項記載のガイド装置。
【請求項６】  前記ピストンロッド（７１）と前記作動エレメント（８１）とが、互いに整合するように配置されている、請求項１から５までのいずれか１項記載のガイド装置。
【請求項７】  ガイドエレメント（１９）と供給テーブル（３）との間の間隔を増大させるために、高さ調節装置（６１）の両駆動装置のうちの少なくとも一方の駆動装置、有利には第１の駆動装置（６３）を作動させる異物侵入防止装置（９１）が設けられている、請求項１から６までのいずれか１項記載のガイド装置。
【請求項８】  供給テーブル（３）から鉛直方向で離れる方向に向けられた、前記案内機構（３３）に作用する力が超過されると、前記異物侵入防止装置（９１）が前記駆動装置（６３）を作動させるようになっている、請求項７記載のガイド装置。
【請求項９】  ガイドエレメント（１９）が、前記案内機構（３３）に結合された横桁（１５）に配置されており、該横桁（１５）が、シート搬送方向（５）に対して直交する横方向に延びる軸線（２９）を中心にして旋回可能である、請求項１から８までのいずれか１項記載のガイド装置。
【請求項１０】  前記案内機構（３３）が、前記横桁（１５）を旋回させるための昇降装置（３５）を有している、請求項１から９までのいずれか１項記載のガイド装置。
【請求項１１】  鉛直方向に移動可能な前記案内機構（３３）が、機械の駆動装置側とオペレータ側とにそれぞれ配置された第１および第２のラック（３１）を有しており、両ラック（３１）に前記横桁（１５）が旋回可能に支承されている、請求項１から１０までのいずれか１項記載のガイド装置。
【請求項１２】  前記ラック（３１）が、位置固定的に配置された、回転可能な少なくとも１つの歯車付軸（４５）と噛み合っている、請求項１から１１までのいずれか１項記載のガイド装置。
【請求項１３】  前記案内機構（３３）と連結された少なくとも１つの第３のラック（４４）が設けられており、該第３のラック（４４）が前記ピストンロッド（７１）に結合されている、請求項１から１２までのいずれか１項記載のガイド装置。
【請求項１４】  ガイドエレメント（１９）が、前記横桁（１５）にクランプ式に保持されており、前記ガイドエレメント（１９）と、前記横桁（１５）の長手方向中心軸線との間隔が調節可能である、請求項１から１３までのいずれか１項記載のガイド装置。
【請求項１５】  前記横桁（１５）に、互いに間隔を置いて配置された複数のガイドエレメント（１９）が固定されており、該ガイドエレメント（１９）の、前記横桁（１５）の長手方向中心軸線に対する間隔が個々に調節可能である、請求項１から１４までのいずれか１項記載のガイド装置。
【請求項１６】  ガイドエレメント（１９）が、球面状に形成されている分離ローラにより形成されている、請求項１から１５までのいずれか１項記載のガイド装置。
【請求項１７】  前記横桁（１５）が前当てガード（１７）として形成されている、請求項１から１６までのいずれか１項記載のガイド装置。
【請求項１８】  前記前当てガード（１７）に、高さ調節可能なブラシが配置されている、請求項１から１７までのいずれか１項記載のガイド装置。
【請求項１９】  少なくとも１つのガイドエレメント（１９）を有していて、該ガイドエレメント（１９）が、シートの搬送方向で見て少なくとも１つの前当て（７）の手前に配置されており、そしてシートがガイド装置にずれ重ね流の形で供給されるようになっている、シートを処理する機械へシートを案内するための、特に請求項１から１８までのいずれか１項記載のガイド装置を運転する方法において、シート流の第１のシートの進入時に、ガイドエレメント（１９）を、シート搬送方向（５）で見て前当て（７）に対して小さな間隔を置いて配置し、後続のシートに対してはガイドエレメントと前当てとの間の間隔を増大させることを特徴とする、ガイド装置を運転する方法。
【請求項２０】  ガイドエレメント（１９）と供給テーブル（３）との間の間隔および／または前当て（７）に対するガイドエレメントの間隔を自動的に変えることができる、請求項１９記載の方法。
【請求項２１】  前記間隔が無段階に調節可能である、請求項１９または２０記載の方法。
【手続補正書】
【提出日】平成19年2月6日(2007.2.6)
【手続補正１】
【補正対象書類名】明細書
【補正対象項目名】特許請求の範囲
【補正方法】変更
【補正の内容】
【特許請求の範囲】
【請求項１】
汚物を受ける鉢部と、該鉢部の底部に形成された排出口と連通し、該連通位置よりも高い位置まで延出した後、汚水管の位置する下方向に向かう排水路とを有し、該排水路の終端を、該排水路と前記汚水管とを連接する部材であって、内部に流路が形成された部材である連接部材を介して、前記汚水管と接続するとともに、前記鉢部および前記排水路内に、該排水路内の底壁の最も高い位置である堰の高さまで溜水を溜め、該溜水が溜められた前記鉢部に、所定の給水源と給水可能に接続されたタンクから洗浄水を供給することにより、前記鉢部内の汚物を、前記排水路内の前記堰を越える位置まで搬送し、前記連接部材の流路を通じて前記汚水管に送り込む水洗便器であって、前記タンクを、前記給水源からの給水を止めた状態での一洗浄動作により、該タンク内に貯溜された貯溜水のうちの２．８リットル以上６リットル以下の貯溜水を前記鉢部に供給するよう構成し、前記連接部材が前記排水路と接続された状態において、該連接部材の流路の出口における中心を、前記便器の背面から前記便器の前方に向かって２００ｍｍ以下の位置に配置するとともに、該連接部材の流路内において、洗浄水の落下運動を抑制する落下抑制手段を設け、前記給水源からの給水可能な状態での一洗浄動作により、前記タンクから前記貯溜水を含む洗浄水が前記鉢部に供給されたとき、該供給に伴って前記堰を越えた前記溜水および前記洗浄水の落下を、前記落下抑制手段が抑制し、該落下抑制手段による抑制に基づいて、前記堰付近の排水路内の満水状態を創り出し、サイホン作用を引き起こす水洗便器。
【請求項２】
請求項１に記載の水洗便器であって、前記連接部材の流路の入口に対して流路の断面積を減少させる第一の絞り部と、該第一の絞り部における流路に対して流路の断面積を減少させる第二の絞り部とを備え、前記落下抑制手段は、該第一の絞り部および該第二の絞り部により、前記連接部材の流路内における洗浄水の落下運動を抑制する手段である水洗便器。
【請求項３】
請求項２に記載の水洗便器であって、前記第一の絞り部は、前記流路の断面積を、該流路の断面寸法に比べて短い長さに亘って減少させるオリフィス絞り部であり、前記第二の絞り部は、前記流路の断面積を、該流路の断面寸法に比べて長い長さに亘って減少させるチョーク絞り部である水洗便器。
【請求項４】
前記オリフィス絞り部を、前記流路の内壁に、前記流路の中心方向に向かう斜面を形成することにより構成した請求項３に記載の水洗便器。
【請求項５】
前記オリフィス絞り部を、前記流路の内壁に、前記流路の中心方向に突出する凸部を形成することにより構成した請求項３に記載の水洗便器。
【請求項６】
前記第二の絞り部を、前記第一の絞り部と連続して形成した請求項３ないし５のいずれかに記載の水洗便器。
【請求項７】
前記第二の絞り部を、前記流路の断面積が、前記連接部材の流路の出口の近傍に至るまで漸減するように構成した請求項３ないし６のいずれかに記載の水洗便器。
【請求項８】 
請求項１に記載の水洗便器であって、前記連接部材が前記排水路の終端と接続された状態において、該連接部材の流路の中心を、前記排水路の終端における中心とは偏心した位置に設けるとともに、該偏心された後の連接部材の流路に、該流路の断面積を減少させる第一の絞り部と該第一の絞り部における流路に対して流路の断面積を減少させる第二の絞り部とを形成し、前記落下抑制手段は、該排水路の終端と連接部材の流路との偏心、該第一の絞り部および該第二の絞り部により、前記連接部材の流路内における洗浄水の落下運動を抑制する手段である水洗便器。
【請求項９】
請求項８に記載の水洗便器であって、前記第一の絞り部は、前記流路の断面積を、該流路の断面寸法に比べて短い長さに亘って減少させるオリフィス絞り部であり、前記第二の絞り部は、前記流路の断面積を、該流路の断面寸法に比べて長い長さに亘って減少させるチョーク絞り部である水洗便器。
【請求項１０】
前記落下抑制手段に代えて、前記連接部材に内接される前記排水路の終端部分の形状により、前記連接部材の流路における洗浄水の落下運動を抑制する抑制手段を設けた請求項１ないし９のいずれかに記載の水洗便器。
【請求項１１】
前記落下抑制手段により洗浄水の落下運動を抑制しつつ、前記連接部材の流路における汚物の通過を促進する通過促進手段を設けた請求項１に記載の水洗便器。
【請求項１２】
請求項１１に記載の水洗便器であって、前記落下抑制手段として、前記連接部材の流路の入口に対して流路の断面積を減少させる第一の絞り部と、該第一の絞り部における流路に対して流路の断面積を減少させる第二の絞り部とを備え、前記通過促進手段を、該第一の絞り部および該第二の絞り部を前記流路の内周壁のうちの一部の範囲に設けることにより構成した水洗便器。
【請求項１３】
請求項１２に記載の水洗便器であって、前記第一の絞り部は、前記流路の断面積を、該流路の断面寸法に比べて短い長さに亘って減少させるオリフィス絞り部であり、前記第二の絞り部は、前記流路の断面積を、該流路の断面寸法に比べて長い長さに亘って減少させるチョーク絞り部である水洗便器。
【手続補正書】
【提出日】平成19年2月6日(2007.2.6)
【手続補正１】
【補正対象書類名】明細書
【補正対象項目名】発明の名称
【補正方法】変更
【補正の内容】
【発明の名称】設備機器の取り付け方法
【手続補正２】
【補正対象書類名】明細書
【補正対象項目名】特許請求の範囲
【補正方法】変更
【補正の内容】
【特許請求の範囲】
【請求項１】
室内側より天井の開口に挿入する設備機器の取り付け方法であって、
前記設備機器の周囲で、且つ、前記天井の開口に挿入された際にその開口縁と対向する位置に仮止め部材を設け、
前記設備機器を前記天井の開口に挿入した後に、前記仮止め部材を折曲させて前記天井の裏面に引っ掛けることで、前記設備機器を前記天井に対し仮固定することを特徴とする設備機器の取り付け方法。
【請求項２】
前記仮止め部材を薄板で形成したことを特徴とする請求項１記載の設備機器の取り付け方法。
【手続補正３】
【補正対象書類名】明細書
【補正対象項目名】０００５
【補正方法】変更
【補正の内容】
【０００５】
【課題を解決するための手段及びその作用・効果】
上記目的を達成するために本発明においては、室内側より天井の開口に挿入する設備機器の取り付け方法であって、設備機器の周囲で、且つ、天井の開口に挿入された際にその開口縁と対向する位置に仮止め部材を設け、設備機器を天井の開口に挿入した後に、仮止め部材を折曲させて天井の裏面に引っ掛けることで、設備機器を天井に対し仮固定することを特徴としている。
【手続補正４】
【補正対象書類名】明細書
【補正対象項目名】０００６
【補正方法】変更
【補正の内容】
【０００６】
従って、このように構成すれば、設備機器本体をビス等により天井に固定する際に、手を離しても設備機器が開口から落下しないよう簡単な構造で仮固定することが可能となり、一人の作業者で容易に取り付け作業を行うことができる。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正書】
【提出日】平成19年1月9日(2007.1.9)
【手続補正１】
【補正対象書類名】明細書
【補正対象項目名】００５７
【補正方法】変更
【補正の内容】
【００５７】
〔実施例１〜１６、比較例１〜４〕
ポリ塩化ビニル樹脂（重合度：１，３００）１００重量部、ジ−２−エチルヘキシルフタレート５０重量部、トリキシレニルホスフェート３重量部、液状Ｂａ−Ｚｎ系複合安定剤１．０重量部、粉末状Ｂａ−Ｚｎ系複合安定剤１．０重量部、メチレンビスステアリン酸アマイド０．３重量部、ソルビタンモノパルミテート２．０重量部、ベンゾフェノン系紫外線吸収剤（Ｖｉｏｓｏｒｂ  １１０；共同薬品社製）０．１重量部、ヒンダートアミン系化合物（ＬＡ−６３；旭電化工業社製）０．１重量部、およびフッ素系界面活性剤（ＤＳ−４０３；ダイキン社製）０．１重量部の混合物からなるベース樹脂組成物を用い、樹脂組成物に下記表１、表２および表３に示したエポキシ系化合物を配合した塩化ビニル系樹脂組成物を、ヘンシェルミキサーに仕込み、１０分間攪拌混合してコンパウンドを作製し、１７５℃に加熱溶融してロール混練りし、次いでカレンダー装置によって、厚さ０．１ｍｍのフィルムに成形して、農業用塩化ビニル系樹脂フィルムを得た。
【手続補正書】
【提出日】平成18年11月30日(2006.11.30)
【手続補正１】
【補正対象書類名】明細書
【補正対象項目名】００６６
【補正方法】変更
【補正の内容】
【００６６】
〔実施例１〕
下記配合物を１７０℃でロール混練してシートを作成し、このシートを１８０℃で５分間プレスして厚さ０．５ｍｍの軟質ＰＶＣシートを作成し、この軟質ＰＶＣシートから１０ｍｍ×１０ｍｍの試験片を作成した。この試験片を用いて、細菌類（下記〔表１〕中の菌１〜５）及び真菌類（下記〔表１〕中の菌６〜８）についてそれぞれ下記の方法によって抗菌性を評価した。それらの結果を下記〔表１〕に示す。
【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】  水溶性及び／又は加水分解により水溶性となる１種以上のラジカル重合性単量体（ａ）と重量平均分子量１０００未満の架橋剤（ｂ）を、水存在下でラジカル重合させて吸水性樹脂を製造する方法において、共重合性二重結合を分子内に２個以上有する重量平均分子量１０００〜３０万の水溶性若しくは水分散性若しくは水膨潤性若しくは吸水性の親水性樹脂（ｃ）を共存させて重合を行うことを特徴とする吸水性樹脂（Ａ１）の製造法。
【請求項２】  （ｃ）が、水溶性のラジカル重合性単量体及び／若しくは加水分解により水溶性となるラジカル重合性単量体を重合して得た樹脂に二重結合及び官能性基を有する化合物を反応して二重結合を導入する方法により得られるものである請求項１記載の製造法。
【請求項３】  前記二重結合及び官能性基を有する化合物が、スルホン酸（塩）基、カルボン酸（塩）基、水酸基、エポキシ基、カルボン酸無水物基、アミノ基からなる群から選ばれる官能性基と二重結合を含有する化合物の１種以上である請求項２記載の製造法。
【請求項４】  （ｃ）の量が（ａ）に対して５〜５０質量％である請求項１〜３のいずれか記載の製造法。
【請求項５】  請求項１〜４のいずれか記載の製造法で得られる粒子状の吸水性樹脂（Ａ１）を、架橋剤（ｄ）でさらに表面架橋する吸水性樹脂（Ａ２）の製造法。
【請求項６】 請求項１〜５の何れか記載の製造法により得られ（１）生理食塩水に対する保水量が２８ｇ／ｇ以上、（２）生理食塩水による３時間抽出後の水可溶性成分量が１５％以下である吸水性樹脂。
【請求項７】 請求項５記載の製造法により得られ（１）生理食塩水に対する保水量が３０ｇ／ｇ以上、（２）２０ｇ／ｃｍ2荷重下における生理食塩水に対する吸収量が２５ｇ／ｇ以上、（３）４０ｇ／ｃｍ2荷重下における生理食塩水に対する吸収量が２０ｇ／ｇ以上、（４）６０ｇ／ｃｍ2荷重下における生理食塩水に対する吸収量が１５ｇ／ｇ以上、（５）生理食塩水による３時間抽出後の水可溶性成分量が１２％以下である吸水性樹脂。
【請求項８】 請求項６又は７に記載の吸水性樹脂からなる衛生材料。
【手続補正書】
【提出日】平成19年7月27日(2007.7.27)
【手続補正１】
【補正対象書類名】明細書
【補正対象項目名】発明の名称
【補正方法】変更
【補正の内容】
【発明の名称】映像式パチンコ機及び遊技プログラム
【手続補正２】
【補正対象書類名】明細書
【補正対象項目名】特許請求の範囲
【補正方法】変更
【補正の内容】
【特許請求の範囲】
【請求項１】
遊技台に設けた映像表示部に、複数種の入賞口を有する遊技盤及び遊技球の映像を表示するとともに、パチンコ遊技の進行を制御する制御装置を備えた映像パチンコ機であって、
前記制御装置は、
前記映像表示部に表示した映像遊技球が前記入賞口に入球した場合に、実際のパチンコ球と映像遊技球のいずれを払い出すかを、前記映像遊技球が入球した前記入賞口の種類に応じて決定する機能を有することを特徴とする映像パチンコ機。
【請求項２】
前記制御装置は、
実際のパチンコ球を払い出す場合、払い出された実際のパチンコ球を計数し、計数結果に対応する個数の映像遊技球に変換する機能を、さらに有することを特徴とする請求項１記載の映像パチンコ機。
【請求項３】
制御装置に、
遊技台に設けた映像表示部に、複数種の入賞口を有する遊技盤及び遊技球の映像を表示する機能と、
映像表示部に表示した映像遊技球が前記入賞口に入球した場合に、実際のパチンコ球と映像遊技球のいずれを払い出すかを、前記映像遊技球が入球した前記入賞口の種類に応じて決定する機能と、
を実現させるための映像パチンコ機用の遊技プログラム。
【手続補正３】
【補正対象書類名】明細書
【補正対象項目名】０００１
【補正方法】変更
【補正の内容】
【０００１】
【発明の属する技術分野】
本発明は、映像パチンコ機、及び遊技プログラムに関するものである。
【手続補正４】
【補正対象書類名】明細書
【補正対象項目名】０００６
【補正方法】変更
【補正の内容】
【０００６】
【発明が解決しようとする課題】
ところが、上記従来の映像パチンコ機は、従来の金属製の遊技球を使用した現実的な遊技であったものを、映像を用いた仮想的な遊技に置き換えただけのものであり、映像遊技球により「大当たり」を決定するだけのものであったり、あるいは画像遊技領域のレアウトが予め複数のものが準備され、遊技前に好みの態様の映像遊技盤のレイアウトを選択して遊技するだけのものであった。
【手続補正５】
【補正対象書類名】明細書
【補正対象項目名】０００９
【補正方法】変更
【補正の内容】
【０００９】
【課題を解決するための手段】
そこで、請求項１に係る本発明は、遊技台に設けた映像表示部に、複数種の入賞口を有する遊技盤及び遊技球の映像を表示するとともに、パチンコ遊技の進行を制御する制御装置を備えた映像パチンコ機であって、前記制御装置は、前記映像表示部に表示した映像遊技球が前記入賞口に入球した場合に、実際のパチンコ球と映像遊技球のいずれを払い出すかを、前記映像遊技球が入球した前記入賞口の種類に応じて決定する機能を有することを特徴とする映像パチンコ機を提供するものである。
【手続補正６】
【補正対象書類名】明細書
【補正対象項目名】００１０
【補正方法】変更
【補正の内容】
【００１０】
また、請求項２に係る本発明は、前記制御装置は、実際のパチンコ球を払い出す場合、払い出された実際のパチンコ球を計数し、計数結果に対応する個数の映像遊技球に変換する機能を、さらに有する映像パチンコ機を提供するものである。
【手続補正７】
【補正対象書類名】明細書
【補正対象項目名】００１１
【補正方法】変更
【補正の内容】
【００１１】
また、請求項３に係る本発明では、制御装置に、遊技台に設けた映像表示部に、複数種の入賞口を有する遊技盤及び遊技球の映像を表示する機能と、映像表示部に表示した映像遊技球が前記入賞口に入球した場合に、実際のパチンコ球と映像遊技球のいずれを払い出すかを、前記映像遊技球が入球した前記入賞口の種類に応じて決定する機能と、を実現させるための映像パチンコ機用の遊技プログラムを提供するものである。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
【発明の実施の形態】
本発明に係る映像パチンコ機は、遊技台に設けた映像表示部に、複数種の入賞口を有する遊技盤及び遊技球の映像を表示するとともに、パチンコ遊技の進行を制御する制御装置を備えた映像パチンコ機であって、遊技台の映像表示部の下方位置に設けた遊技球発射装置を遊技者が操作することによって、映像遊技盤に映像遊技球を発射してパチンコ遊技を行うものである。そして、前記制御装置は、前記映像表示部に表示した映像遊技球が前記入賞口に入球した場合に、実際のパチンコ球と映像遊技球のいずれを払い出すかを、前記映像遊技球が入球した前記入賞口の種類に応じて決定する機能を有する。
【手続補正書】
【提出日】平成19年8月31日(2007.8.31)
【手続補正１】
【補正対象書類名】明細書
【補正対象項目名】発明の名称
【補正方法】変更
【補正の内容】
【発明の名称】映像パチンコ機
【手続補正２】
【補正対象書類名】明細書
【補正対象項目名】特許請求の範囲
【補正方法】変更
【補正の内容】
【特許請求の範囲】
【請求項１】
遊技台に設けた映像表示部に表示した遊技盤及び遊技球の映像を用いてパチンコ遊技を行わせる映像パチンコ機であって、
前記遊技盤及び前記遊技球を含む映像の表示制御を行うとともに、前記遊技球の表示制御を、前記遊技盤に設定された座標に基づいて行う表示制御手段と、
前記遊技盤上に映像表示される入賞口、始動口、及び映像球通過検出部にそれぞれ対応する座標を中心とした所定範囲内と前記遊技球の軌跡における位置座標とが重なったか否かにより前記遊技球の入賞又は通過を判定する判定手段と、
この判定手段が前記入賞口又は前記始動口への前記遊技球の入賞を判定した場合、所定の利益を付与する利益付与手段と、
前記判定手段が前記映像球通過検出部への前記遊技球の通過を判定した場合、前記映像表示部の一部に、前記遊技盤と同様の入賞口及び始動口が表示された特別遊技盤の映像を前記遊技盤の映像と重ねて表示する特別遊技付与手段と、
を備え、
前記特別遊技付与手段により前記特別遊技盤が表示された場合、
前記判定手段は、前記特別遊技盤における前記入賞口又は前記始動口への入賞判定を前記遊技盤における前記入賞口又は前記始動口への入賞判定と同様に行い、前記利益付与手段は、前記判定手段による判定結果に基づいて前記所定の利益を付与することを特徴とする映像パチンコ機。
【請求項２】
前記特別遊技付与手段は、
前記特別遊技盤として、平面的に表示される前記遊技盤と異なり、奥行方向に広がる遊技盤映像を用いて表示することを特徴とする請求項１記載の映像パチンコ機。
【手続補正３】
【補正対象書類名】明細書
【補正対象項目名】０００１
【補正方法】変更
【補正の内容】
【０００１】
【発明の属する技術分野】
本発明は、映像パチンコ機に関するものである。
【手続補正４】
【補正対象書類名】明細書
【補正対象項目名】０００４
【補正方法】変更
【補正の内容】
【０００４】
【発明が解決しようとする課題】
ところが、上記従来の映像パチンコ機は、従来の金属製の遊技球を使用した現実的な遊技であったものを、映像を用いた仮想的な遊技に置き換えただけのものであり、映像遊技球により「大当たり」を決定するだけのものであったり、あるいは画像遊技領域のレアウトが予め複数のものが準備され、遊技前に好みの態様の映像遊技盤のレイアウトを選択して遊技するだけのものであった。
【手続補正５】
【補正対象書類名】明細書
【補正対象項目名】０００７
【補正方法】変更
【補正の内容】
【０００７】
【課題を解決するための手段】
（１）本発明は、遊技台に設けた映像表示部に表示した遊技盤及び遊技球の映像を用いてパチンコ遊技を行わせる映像パチンコ機であって、前記遊技盤及び前記遊技球を含む映像の表示制御を行うとともに、前記遊技球の表示制御を、前記遊技盤に設定された座標に基づいて行う表示制御手段と、前記遊技盤上に映像表示される入賞口、始動口、及び映像球通過検出部にそれぞれ対応する座標を中心とした所定範囲内と前記遊技球の軌跡における位置座標とが重なったか否かにより前記遊技球の入賞又は通過を判定する判定手段と、この判定手段が前記入賞口又は前記始動口への前記遊技球の入賞を判定した場合、所定の利益を付与する利益付与手段と、前記判定手段が前記映像球通過検出部への前記遊技球の通過を判定した場合、前記映像表示部の一部に、前記遊技盤と同様の入賞口及び始動口が表示された特別遊技盤の映像を前記遊技盤の映像と重ねて表示する特別遊技付与手段と、を備え、前記特別遊技付与手段により前記特別遊技盤が表示された場合、前記判定手段は、前記特別遊技盤における前記入賞口又は前記始動口への入賞判定を前記遊技盤における前記入賞口又は前記始動口への入賞判定と同様に行い、前記利益付与手段は、前記判定手段による判定結果に基づいて前記所定の利益を付与する映像パチンコ機とした。
【手続補正６】
【補正対象書類名】明細書
【補正対象項目名】０００８
【補正方法】変更
【補正の内容】
【０００８】
（２）本発明は、（１）に記載の映像パチンコ機において、前記特別遊技付与手段は、前記特別遊技盤として、平面的に表示される前記遊技盤と異なり、奥行方向に広がる遊技盤映像を用いて表示することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
【発明の実施の形態】
本発明に係る映像パチンコ機は、遊技台に設けた映像表示部に表示した遊技盤及び遊技球の映像を用いてパチンコ遊技を行わせる映像パチンコ機であって、前記遊技盤及び前記遊技球を含む映像の表示制御を行うとともに、前記遊技球の表示制御を、前記遊技盤に設定された座標に基づいて行う表示制御手段と、前記遊技盤上に映像表示される入賞口、始動口、及び映像球通過検出部にそれぞれ対応する座標を中心とした所定範囲内と前記遊技球の軌跡における位置座標とが重なったか否かにより前記遊技球の入賞又は通過を判定する判定手段と、この判定手段が前記入賞口又は前記始動口への前記遊技球の入賞を判定した場合、所定の利益を付与する利益付与手段と、前記判定手段が前記映像球通過検出部への前記遊技球の通過を判定した場合、前記映像表示部の一部に、前記遊技盤と同様の入賞口及び始動口が表示された特別遊技盤の映像を前記遊技盤の映像と重ねて表示する特別遊技付与手段と、を備え、前記特別遊技付与手段により前記特別遊技盤が表示された場合、前記判定手段は、前記特別遊技盤における前記入賞口又は前記始動口への入賞判定を前記遊技盤における前記入賞口又は前記始動口への入賞判定と同様に行い、前記利益付与手段は、前記判定手段による判定結果に基づいて前記所定の利益を付与するようにしたものである。
【手続補正書】
【提出日】平成19年8月31日(2007.8.31)
【手続補正１】
【補正対象書類名】明細書
【補正対象項目名】発明の名称
【補正方法】変更
【補正の内容】
【発明の名称】映像パチンコ機
【手続補正２】
【補正対象書類名】明細書
【補正対象項目名】特許請求の範囲
【補正方法】変更
【補正の内容】
【特許請求の範囲】
【請求項１】
遊技台に設けた映像表示部に表示した遊技盤及び遊技球の映像を用いてパチンコ遊技を行わせる映像パチンコ機であって、
前記遊技盤及び前記遊技球を含む映像の表示制御を行うとともに、前記遊技球の表示制御を、前記遊技盤に設定された座標に基づいて行う表示制御手段と、
前記遊技盤上に映像表示される始動口及び映像球通過検出部にそれぞれ対応する座標を中心とした所定範囲内と前記遊技球の軌跡における位置座標とが重なったか否かにより前記遊技球の入賞又は通過を判定する判定手段と、
この判定手段が前記始動口への前記遊技球の入賞を判定した場合、所定の利益を付与する利益付与手段と、
前記判定手段が前記映像球通過検出部への前記入賞球の通過を判定した場合、特定の利益を付与する特定利益付与手段と、
を備え、
前記特定利益付与手段は、
特定の利益として、前記遊技盤上で変動表示される普通図柄の停止表示結果に基づいて、前記始動口に設けた可動片を開動作させるとともに、前記始動口付近を通過する前記遊技球の移動方向を変更することを特徴とする映像パチンコ機。
【請求項２】
遊技者にとって有利な方向に向けて遊技球の移動方向を変更する味方キャラクタと、遊技者にとって不利な方向に向けて遊技球の移動方向を変更する敵方キャラクタとを記憶した記憶手段を備え、
前記特定利益付与手段は、
前記遊技球の移動方向を変更するキャラクタとして、前記記憶手段に記憶された前記味方キャラクタと敵方キャラクタのうちのいずれかを選択して前記始動口の近傍位置に表示することを特徴とする請求項１記載の映像パチンコ機。
【請求項３】
前記味方キャラクタは、前記始動口に向けて遊技球の移動方向を変更し、同始動口に遊技球が入球した場合、
前記利益付与手段は、
前記所定の利益として、映像表示部に複数の識別情報画像を変動表示した後に停止表示し、複数の識別情報画像が所定の組合せで停止したときには、遊技者にとって有利な大当たり遊技状態へ移行させる可変表示ゲームを行うことを特徴とする請求項２記載の映像パチンコ機。
【手続補正３】
【補正対象書類名】明細書
【補正対象項目名】０００１
【補正方法】変更
【補正の内容】
【０００１】
【発明の属する技術分野】
本発明は、映像パチンコ機に関するものである。
【手続補正４】
【補正対象書類名】明細書
【補正対象項目名】０００７
【補正方法】変更
【補正の内容】
【０００７】
【課題を解決するための手段】
（１）本発明は、遊技台に設けた映像表示部に表示した遊技盤及び遊技球の映像を用いてパチンコ遊技を行わせる映像パチンコ機であって、前記遊技盤及び前記遊技球を含む映像の表示制御を行うとともに、前記遊技球の表示制御を、前記遊技盤に設定された座標に基づいて行う表示制御手段と、前記遊技盤上に映像表示される始動口及び映像球通過検出部にそれぞれ対応する座標を中心とした所定範囲内と前記遊技球の軌跡における位置座標とが重なったか否かにより前記遊技球の入賞又は通過を判定する判定手段と、この判定手段が前記始動口への前記遊技球の入賞を判定した場合、所定の利益を付与する利益付与手段と、前記判定手段が前記映像球通過検出部への前記入賞球の通過を判定した場合、特定の利益を付与する特定利益付与手段と、を備え、前記特定利益付与手段は、特定の利益として、前記遊技盤上で変動表示される普通図柄の停止表示結果に基づいて、前記始動口に設けた可動片を開動作させるとともに、前記始動口付近を通過する前記遊技球の移動方向を変更することとした。
【手続補正５】
【補正対象書類名】明細書
【補正対象項目名】０００８
【補正方法】変更
【補正の内容】
【０００８】
（２）本発明は、上記（１）の映像パチンコ機において、遊技者にとって有利な方向に向けて遊技球の移動方向を変更する味方キャラクタと、遊技者にとって不利な方向に向けて遊技球の移動方向を変更する敵方キャラクタとを記憶した記憶手段を備え、前記特定利益付与手段は、前記遊技球の移動方向を変更するキャラクタとして、前記記憶手段に記憶された前記味方キャラクタと敵方キャラクタのうちのいずれかを選択して前記始動口の近傍位置に表示することを特徴とする。
【手続補正６】
【補正対象書類名】明細書
【補正対象項目名】０００９
【補正方法】変更
【補正の内容】
【０００９】
（３）上記（１）又は（２）の映像パチンコ機において、前記味方キャラクタは、前記始動口に向けて遊技球の移動方向を変更し、同始動口に遊技球が入球した場合、前記利益付与手段は、前記所定の利益として、映像表示部に複数の識別情報画像を変動表示した後に停止表示し、複数の識別情報画像が所定の組合せで停止したときには、遊技者にとって有利な大当たり遊技状態へ移行させる可変表示ゲームを行うことを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
【発明の実施の形態】
本実施形態に係る映像パチンコ機は、遊技台に設けた映像表示部に表示した遊技盤及び遊技球の映像を用いてパチンコ遊技を行わせる映像パチンコ機であって、前記遊技盤及び前記遊技球を含む映像の表示制御を行うとともに、前記遊技球の表示制御を、前記遊技盤に設定された座標に基づいて行う表示制御手段と、前記遊技盤上に映像表示される始動口及び映像球通過検出部にそれぞれ対応する座標を中心とした所定範囲内と前記遊技球の軌跡における位置座標とが重なったか否かにより前記遊技球の入賞又は通過を判定する判定手段と、この判定手段が前記始動口への前記遊技球の入賞を判定した場合、所定の利益を付与する利益付与手段と、前記判定手段が前記映像球通過検出部への前記入賞球の通過を判定した場合、特定の利益を付与する特定利益付与手段と、を備え、前記特定利益付与手段は、特定の利益として、前記遊技盤上で変動表示される普通図柄の停止表示結果に基づいて、前記始動口に設けた可動片を開動作させるとともに、前記始動口付近を通過する前記遊技球の移動方向を変更するものである。
【手続補正書】
【提出日】平成19年8月31日(2007.8.31)
【手続補正１】
【補正対象書類名】明細書
【補正対象項目名】発明の名称
【補正方法】変更
【補正の内容】
【発明の名称】遊技機
【手続補正２】
【補正対象書類名】明細書
【補正対象項目名】特許請求の範囲
【補正方法】変更
【補正の内容】
【特許請求の範囲】
【請求項１】
パチンコ遊技盤を画像表示するディスプレイと、
同ディスプレイ上に仮想遊技球を映像として打出し可能な遊技ハンドルと、
パチンコ遊技プログラムを実行する制御部と、
前記ディスプレイの下部領域に、現時点での遊技可能球である発射可能球残数を表示する仮想上皿部と獲得遊技球数を表示する仮想下皿部とを映像表示する球数表示手段と、
前記仮想下皿部内の獲得遊技球を前記仮想上皿部へ移動させるための遊技球返還スイッチと、
を備えたことを特徴とする遊技機。
【請求項２】
前記仮想上皿部における発射可能球残数と、前記仮想下皿部における獲得遊技球数とをそれぞれアナログ又はデジタルで表示可能としたことを特徴とする請求項１記載の遊技機。
【請求項３】
前記仮想上皿部におけるアナログ表示では、前記仮想遊技球が供給口部から供給されるように映像表示されるとともに、予め設定された容量の限界を越えると、余剰の仮想遊技球が前記仮想下皿部に供給されるように映像表示され、
前記仮想下皿部におけるアナログ表示では、仮想箱体中に収容された仮想の遊技球が増減する様子を視覚的に認識できるように映像表示されることを特徴とする請求項２記載の遊技機。
【請求項４】
デジタル表示では数値により実数表示することを特徴とする請求項１〜３のいずれか１項に記載の遊技機。
【手続補正３】
【補正対象書類名】明細書
【補正対象項目名】０００１
【補正方法】変更
【補正の内容】
【０００１】
【発明の属する技術分野】
本発明は、遊技機に関するものである。
【手続補正４】
【補正対象書類名】明細書
【補正対象項目名】００１１
【補正方法】変更
【補正の内容】
【００１１】
本発明は、上記課題を解決することのできる映像式パチンコ遊技装置などの遊技機を提供することを目的とする。
【手続補正５】
【補正対象書類名】明細書
【補正対象項目名】００１２
【補正方法】変更
【補正の内容】
【００１２】
【課題を解決するための手段】
（１）本発明は、パチンコ遊技盤を画像表示するディスプレイと、同ディスプレイ上に仮想遊技球を映像として打出し可能な遊技ハンドルと、パチンコ遊技プログラムを実行する制御部と、前記ディスプレイの下部領域に、現時点での遊技可能球である発射可能球残数を表示する仮想上皿部と獲得遊技球数を表示する仮想下皿部とを映像表示する球数表示手段と、前記仮想下皿部内の獲得遊技球を前記仮想上皿部へ移動させるための遊技球返還スイッチと、を備えた遊技機とした。
【手続補正６】
【補正対象書類名】明細書
【補正対象項目名】００１３
【補正方法】変更
【補正の内容】
【００１３】
（２）本発明は、上記（１）の遊技機において、前記仮想上皿部における発射可能球残数と、前記仮想下皿部における獲得遊技球数とをそれぞれアナログ又はデジタルで表示可能としたことを特徴とする。
【手続補正７】
【補正対象書類名】明細書
【補正対象項目名】００１４
【補正方法】変更
【補正の内容】
【００１４】
（３）本発明は、上記（２）の遊技機において、前記仮想上皿部におけるアナログ表示では、前記仮想遊技球が供給口部から供給されるように映像表示されるとともに、予め設定された容量の限界を越えると、余剰の仮想遊技球が前記仮想下皿部に供給されるように映像表示され、前記仮想下皿部におけるアナログ表示では、仮想箱体中に収容された仮想の遊技球が増減する様子を視覚的に認識できるように映像表示されることを特徴とする。
【手続補正８】
【補正対象書類名】明細書
【補正対象項目名】００１５
【補正方法】変更
【補正の内容】
【００１５】
（４）本発明は、上記（１）〜（３）のいずれかの遊技機において、デジタル表示では数値により実数表示することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
【発明の実施の形態】
本実施形態に係る遊技機は、パチンコ遊技盤を画像表示するディスプレイと、同ディスプレイ上に仮想遊技球を映像として打出し可能な遊技ハンドルと、パチンコ遊技プログラムを実行する制御部と、前記ディスプレイの下部領域に、現時点での遊技可能球である発射可能球残数を表示する仮想上皿部と獲得遊技球数を表示する仮想下皿部とを映像表示する球数表示手段と、前記仮想下皿部内の獲得遊技球を前記仮想上皿部へ移動させるための遊技球返還スイッチと、を備えたものである。
【手続補正１１】
【補正対象書類名】明細書
【補正対象項目名】０２０４
【補正方法】変更
【補正の内容】
【０２０４】
【発明の効果】
本発明では、仮想遊技球の数を直接黙示で確認することができ、従来の映像式パチンコ遊技機では味わえないところの遊技球の増減によるパチンコ遊技の妙味を堪能でき、遊技に対する興奮度をより高めることが可能となる。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  皮膚吸収型の薬液の収容部と、
前記薬液を皮膚表面に対し吐出する吐出口を備えた薬液吐出部と、
前記収容部から前記薬液吐出部へ前記薬液を供給する供給部と、
前記薬液吐出部からの前記薬液の吐出を制御する手段とを備えた皮膚吸収型薬液投与装置において、
皮膚と接触可能な構造体を有し、該構造体は、前記吐出口を前記薬液が投与される皮膚表面と非接触状態に維持する構造体であることを特徴とする皮膚吸収型薬液投与装置。
【請求項２】  前記薬液吐出部は、前記薬液に熱エネルギーを付与する熱エネルギー発生素子を有することを特徴とする請求項１に記載の皮膚吸収型薬液投与装置。
【請求項３】  前記薬液が、インドメタシン、カプサイシン、ニトログリセリンから選択された少なくとも一つを有効成分として含む請求項１又は２に記載の皮膚吸収型薬液投与装置。
【手続補正２】
【補正対象書類名】明細書
【補正対象項目名】００１４
【補正方法】変更
【補正の内容】
【００１４】
【課題を解決するための手段】
上述の問題を解決する本発明は、皮膚吸収型の薬液の収容部と、前記薬液を皮膚表面に対し吐出する吐出口を備えた薬液吐出部と、前記収容部から前記薬液吐出部へ前記薬液を供給する供給部と、前記薬液吐出部からの前記薬液の吐出を制御する手段とを備えた皮膚吸収型薬液投与装置において、皮膚と接触可能な構造体を有し、該構造体は、前記吐出口を前記薬液が投与される皮膚表面と非接触状態に維持する構造体であることを特徴とする皮膚吸収型薬液投与装置である。
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
少なくとも一酸化炭素を含む水素リッチガスが水素供給部から供給され、酸化ガスが酸化ガス供給部から供給され、前記水素リッチガスに含まれる前記一酸化炭素を低減する一酸化炭素除去装置において、
前記水素リッチガスの流れる方向に対して間隔を空けて配置された複数の一酸化炭素除去触媒層と、
前記一酸化炭素除去触媒層間に、内部に流通する前記水素リッチガスを外壁側に誘導するガス流誘導手段と、
外部に、前記外壁側に誘導させられた前記水素リッチガスの熱を除去する熱除去手段とを備えた、一酸化炭素除去装置。
【請求項２】
前記一酸化炭素除去触媒層と他の前記一酸化炭素除去触媒層の間の空間には、シリカおよびアルミナの少なくともいずれか一方を主成分とするガス拡散層が充填されている、請求項１に記載の一酸化炭素除去装置。
【請求項３】
前記ガス流誘導手段は、少なくとも、前記水素リッチガスの流れの最も上流側に配置された一酸化炭素除去触媒層と、次の下流側に配置された一酸化炭素除去触媒層との間に配置されている、請求項１または２に記載の一酸化炭素除去装置。
【請求項４】
前記複数の一酸化炭素除去触媒層の前記水素リッチガスが流れる方向の厚さは、前記水素リッチガスの流れの下流側に配置される前記一酸化炭素除去触媒層ほど厚い、請求項１乃至３のいずれかに記載の一酸化炭素除去装置。
【請求項５】
前記複数の一酸化炭素除去触媒層は、前記水素リッチガスが、その下面から上面に向けて流通するように配置されており、
前記ガス流誘導手段は、前記一酸化炭素除去触媒層の上に載せられている、請求項１乃至４のいずれかに記載の一酸化炭素除去装置。
【請求項６】
前記ガス流誘導手段は、底を前記水素リッチガスの流れの上流側に向けた箱型部材である、請求項１乃至５のいずれかに記載の一酸化炭素除去装置。
【請求項７】
前記熱除去手段は、さらに、前記水素リッチガスの流れの上流側に配置されている前記一酸化炭素除去触媒層が固定された外壁部分も冷却する、請求項１乃至６のいずれかに記載の一酸化炭素除去装置。
【請求項８】
前記熱除去手段は、外壁の表面に空気を流通させることにより、前記外壁側に誘導させられた前記水素リッチガスの熱を除去する、請求項１乃至７のいずれかに記載の一酸化炭素除去装置。
【請求項９】
さらに、前記複数の一酸化炭素除去触媒層のうちの前記水素リッチガスの流れの最も下流側に配置された一酸化炭素除去触媒層の温度、またはその一酸化炭素除去触媒層を通過した水素リッチガスの温度を検出する温度検出部を備え、
前記熱除去手段は、前記温度検出部で検出される温度が予め設定された所定の範囲の温度になるように制御される、請求項１乃至８のいずれかに記載の一酸化炭素除去装置。
【請求項１０】
請求項１乃至９のいずれかに記載された一酸化炭素除去装置と、
前記一酸化炭素除去装置を通過した水素リッチガスを用いて発電する燃料電池とを備えた、燃料電池発電装置。
【手続補正２】
【補正対象書類名】明細書
【補正対象項目名】００１３
【補正方法】変更
【補正の内容】
【００１３】
上述した課題を解決するために、第１の本発明は、
少なくとも一酸化炭素を含む水素リッチガスが水素供給部から供給され、酸化ガスが酸化ガス供給部から供給され、前記水素リッチガスに含まれる前記一酸化炭素を低減する一酸化炭素除去装置において、
前記水素リッチガスの流れる方向に対して間隔を空けて配置された複数の一酸化炭素除去触媒層と、
前記一酸化炭素除去触媒層間に、内部に流通する前記水素リッチガスを外壁側に誘導するガス流誘導手段と、
外部に、前記外壁側に誘導させられた前記水素リッチガスの熱を除去する熱除去手段とを備えた、一酸化炭素除去装置である。
【手続補正３】
【補正対象書類名】明細書
【補正対象項目名】００１４
【補正方法】変更
【補正の内容】
【００１４】
第２の本発明は、
前記一酸化炭素除去触媒層と他の前記一酸化炭素除去触媒層の間の空間には、シリカおよびアルミナの少なくともいずれか一方を主成分とするガス拡散層が充填されている、第１の本発明の一酸化炭素除去装置である。
【手続補正４】
【補正対象書類名】明細書
【補正対象項目名】００６８
【補正方法】変更
【補正の内容】
【００６８】
上記のように、一酸化炭素除去部１０の構成の各々が、一酸化炭素を効果的に低減するために触媒活性を引き出す構成となっている。本来は、個別構成でその効果について比較説明できればよいが、相互に関係している点もあり、明確に切り分けることができない。従って、図２に示した本実施の形態１の一酸化炭素除去部１０を用いた場合と、図５に示すような従来から用いられている構成の一酸化炭素除去部１２０を用いた場合を比較して説明する。なお、図５において図２と同じ符号を付与した構成要素は、基本的に図２の場合と同じ動作を行う。
【手続補正５】
【補正対象書類名】図面
【補正対象項目名】図７
【補正方法】変更
【補正の内容】
【図７】
2005231965.tif 000001
【手続補正書】
【提出日】平成19年1月31日(2007.1.31)
【手続補正１】
【補正対象書類名】明細書
【補正対象項目名】０００８
【補正方法】変更
【補正の内容】
【０００８】
坩堝５は外側から加熱されるため、融液６の半径方向、あるいは坩堝壁面と融液６の間に温度差が生じ半径方向の対流は生じてしまう。図５に於いて、矢印９は代表的な対流のパターンを示す。このような対流が起こるメカニズムは次のように説明される。先ず、融液６の半径方向に温度差があると半径方向の密度差をもたらし対流が誘起される。その結果、融液６が均熱化する。一方、坩堝１の壁面の温度は固液界面部７から上方に徐々に高温になっているので、坩堝５の壁面温度と融液温度を比較すると次のような状況になる。即ち、下部（固液界面７の近傍）では坩堝１の壁面温度が融液温度より低く、上部では坩堝５及び壁面温度が融液温度より高くなる。この結果、融液は、下部では壁面に沿った下降流、上部では壁面に沿った上昇流となる。このようにして発生する対流は、坩堝５が大型になり半径方向の温度差や坩堝壁面の温度勾配が大きくなるにつれて大きくなる。そして、この対流が、固液界面近傍の温度を擾乱し、結晶の品質を悪化させたり、バウンダリーを発生させたりする要因になっている。
【手続補正２】
【補正対象書類名】図面
【補正対象項目名】図１
【補正方法】変更
【補正の内容】
【図１】
2005231978.tif 000001
【手続補正書】
【提出日】平成18年11月27日(2006.11.27)
【手続補正１】
【補正対象書類名】特許請求の範囲
【補正対象項目名】請求項１
【補正方法】変更
【補正の内容】
【請求項１】
極性溶媒中に湿式シリカ粒子を分散させた分散液であって、該分散液の原料が湿式シリカの水性ケークであり、該分散液中のシリカ濃度が１８重量％以上、シリカ粒子の平均粒子径が０．５μｍ以下、該分散液のｐＨが２〜５、該分散液の電気伝導度が０．３〜１．５ｍＳ／ｃｍ、該分散液中の湿式シリカ粒子の吸水性指数が２．５以上であることを特徴とする湿式シリカ分散液。
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
液体吐出用素子が形成された基板上に、無機材料膜を液体流路パターン状に形成する工程と、
前記無機材料膜上に炭化シリコンまたはＳｉＯＣで液体流路形成部材を形成する工程と、
前記液体流路形成部材の、前記液体吐出用素子の上方に位置する部分に液体吐出口を形成する工程と、
前記無機材料膜を溶出させる工程と、
を有する液体吐出用ヘッドの製造方法。
【請求項２】
前記無機材料はＡｌを主成分としている、請求項１に記載の液体吐出用ヘッドの製造方法。
【請求項３】
前記無機材料膜を溶出させる工程はリン酸あるいは塩酸を用いて前記無機材料膜をエッチングする工程からなる、請求項２に記載の液体吐出用ヘッドの製造方法。
【請求項４】
前記無機材料はＣｕを主成分としている、請求項１に記載の液体吐出用ヘッドの製造方法。
【請求項５】
前記無機材料膜を溶出させる工程は硝酸を用いて前記無機材料膜をエッチングする工程からなる、請求項４に記載の液体吐出用ヘッドの製造方法。
【請求項６】
複数の液体吐出用素子が設けられた基板と、
複数の吐出口と該複数の吐出口にそれぞれ連通する複数の液体流路とを構成する、前記基板の前記液体吐出用素子が設けられている面上に設けられた液体流路形成部材とを有する液体吐出用ヘッドにおいて、
前記液体流路形成部材は炭化シリコンまたはＳｉＯＣで形成されており、前記基板と前記液体流路形成部材の一部との間に金属材料層が設けられていることを特徴とする液体吐出用ヘッド。
【手続補正２】
【補正対象書類名】明細書
【補正対象項目名】０００７
【補正方法】変更
【補正の内容】
【０００７】
上記目的を達成するため、本発明の液体吐出用ヘッドの製造方法は、液体吐出用素子が形成された基板上に、無機材料膜を液体流路パターン状に形成する工程と、前記無機材料膜上に炭化シリコンまたはＳｉＯＣで液体流路形成部材を形成する工程と、前記液体流路形成部材の、前記液体吐出用素子の上方に位置する部分に液体吐出口を形成する工程と、前記無機材料膜を溶出させる工程とを有する。
【手続補正３】
【補正対象書類名】明細書
【補正対象項目名】０００８
【補正方法】変更
【補正の内容】
【０００８】
上記本発明によって製造される液体吐出用ヘッドは、吐出口と液体流路を形成する液体流路形成部材が、半導体製造技術において一般的に用いられる炭化シリコンまたはＳｉＯＣによって形成される。これらの材料は、無機材料膜を溶出させる溶剤（エッチング液）に溶解し難く、かつインク等の液体に対する耐性が高いという化学的特性を有し、さらには液体流路形成部材として満足できる機械的強度を得られるという物理的特性を有している。
【手続補正４】
【補正対象書類名】明細書
【補正対象項目名】００１７
【補正方法】変更
【補正の内容】
【００１７】
また、本発明の液体吐出用ヘッドは、複数の液体吐出用素子が設けられた基板と、複数の吐出口と該複数の吐出口にそれぞれ連通する複数の液体流路とを構成する、前記基板の前記液体吐出用素子が設けられている面上に設けられた液体流路形成部材とを有する液体吐出用ヘッドにおいて、前記液体流路形成部材は炭化シリコンまたはＳｉＯＣで形成されており、前記基板と前記液体流路形成部材の一部との間に金属材料層が設けられていることを特徴とする。
【手続補正書】
【提出日】平成19年6月5日(2007.6.5)
【手続補正１】
【補正対象書類名】明細書
【補正対象項目名】００２１
【補正方法】変更
【補正の内容】
【００２１】
体積抵抗率は図１及び図２に示す測定装置を用いて測定することができる。第一電圧印加電極Ａにおける円柱状電極部Ｃ及びリング状電極部Ｄと第二電圧印加電極Ｂとの間に測定対象となる画像記録体Ｔを挟持し、第一電圧印加電極Ａにおける円柱状電極部Ｃと第二電圧印加電圧Ｂとの間に電圧１００Ｖを印加して３０秒後に流れる電流Ｉを測定し下記式により画像記録体Ｔの体積抵抗率ρを算出することができる。ここで下記式中ｔは画像記録体Ｔの厚さを示す。なお、本発明においては、体積抵抗率について特に温度・湿度条件を明示していない場合には、２２℃、５５％ＲＨ環境で測定したものとする。
ρ＝１９．６×（１００/Ｉ）×ｔ
請求項３に記載の静電荷像現像剤を用いることを特徴とする画像形成方法。
【手続補正２】
【補正対象書類名】明細書
【補正対象項目名】００３９
【補正方法】変更
【補正の内容】
【００３９】
＜基体及び画像記録体の膜厚＞
本発明の画像記録体に用いる基体の膜厚は、特に限定されるわけではないが、５０〜５０００μｍであることが好ましく、１００〜１０００μｍであることがより好ましい。
また、上記基体上に、画像受像層等の他の層を設けた画像記録体の膜厚は、電子写真方式で搬送する必要性もあり、５０〜５０００μｍであることが好ましく、また１００〜１０００μｍであることがより好ましい。
本発明の画像記録体は、その基体の膜厚が厚くなっても画像劣化を生じることがなく十分な転写効率が得られ再現性よく高品位な画像が再現される。